(57)【特許請求の範囲】
【請求項１】
送信情報を第１シンボルにマッピングするステップと、
前記第１シンボルを含む第１シーケンスを第１サブキャリア（ｓｕｂ−ｃａｒｒｉｅｒｓ）に割り当てるステップと、
前記第１シンボルそれぞれから第２シンボルそれぞれを導き出すステップと、
前記第２シンボルを含む第２シーケンスを第２サブキャリアに割り当てるステップと、
前記第１シーケンスおよび前記第２シーケンスに含まれた前記送信情報を前記第１サブキャリアおよび前記第２サブキャリアを用いて送信するステップと、
を含み、
前記第１サブキャリアと前記第２サブキャリアの比率は１：１であり、前記第１サブキャリアと前記第２サブキャリアは互いに重ならないことを特徴とする送信方法。
【請求項２】
前記各第２シンボルは、前記第１シンボルそれぞれに複素共役（ｃｏｍｐｌｅｘ−ｃｏｎｊｕｇａｔｉｏｎ）を適用して導き出すことを特徴とする請求項１に記載の送信方法。
【請求項３】
前記各第２シンボルは、前記第１シンボルそれぞれに「−１」の乗算、または「１」の乗算を適用して導き出すことを特徴とする請求項１に記載の送信方法。
【請求項４】
前記各第２シンボルは、前記第１シンボルそれぞれに複素共役および「−１」の乗算を適用して導き出すことを特徴とする請求項１に記載の送信方法。
【請求項５】
前記第１サブキャリアは偶数サブキャリアに設定され、前記第２サブキャリアは奇数サブキャリアに設定されることを特徴とする請求項１に記載の送信方法。
【請求項６】
前記第１サブキャリアは奇数サブキャリアに設定され、前記第２サブキャリアは偶数サブキャリアに設定されることを特徴とする請求項１に記載の送信方法。
【請求項７】
前記第１サブキャリアは上位サブキャリアに設定され、前記第２サブキャリアは下位サブキャリアに設定されることを特徴とする請求項１に記載の送信方法。
【請求項８】
前記第１サブキャリアは下位サブキャリアに設定され、前記第２サブキャリアは上位サブキャリアに設定されることを特徴とする請求項１に記載の送信方法。
【請求項９】
１つの第１シンボルからＭ個（ここで、前記Ｍは自然数）の第２シンボルを導き出すことを特徴とする請求項１に記載の送信方法。
【請求項１０】
送信装置からの送信情報を受信装置が受信する方法において、
前記送信情報からマッピングされた第１シンボルを含む第１シーケンスが割り当てられた第１サブキャリアおよび前記各第１シンボルから導き出された第２シンボルを含む第２シーケンスが割り当てられた第２サブキャリアを受信するステップと、
前記第１シーケンスから前記第１シンボルを抽出し、前記第２シーケンスから前記第２シンボルを抽出するステップと、
抽出された第１シンボルおよび抽出された第２シンボルから前記送信情報を推定するステップと、
を含み、
前記第１サブキャリアと前記第２サブキャリアの比率は１：１であり、前記第１サブキャリアと前記第２サブキャリアは互いに重ならないことを特徴とする受信方法。
【請求項１１】
前記第２シンボルそれぞれは、前記第１シンボルそれぞれに（１）複素共役（２）「−１」の乗算（３）「１」の乗算のうち少なくとも１つを適用して導き出すことを特徴とする請求項１０に記載の受信方法。
【発明の詳細な説明】
【技術分野】
【０００１】
本発明の一実施形態は、無線通信システムの下りリンクのシンボル同期を獲得するためのセル探索装置および方法に関し、周波数オフセットに強いシンボル同期獲得用のシーケンス生成および割当装置および方法を提案する。
【０００２】
本発明は、知識経済部および情報通信研究振興院のＩＴ成長動力技術開発事業の一環として行った研究から導き出されたものである［課題管理番号：２００６−Ｓ−００２−０３、課題名：３Ｇｂｐｓ級４Ｇ無線ＬＡＮシステム開発］。
【背景技術】
【０００３】
移動局が特定の無線通信システムに初期に接続するため最初に行うことはシンボル同期を獲得することである。本発明は、シンボル同期獲得と関連した技術分野に属する。
【０００４】
直交周波数分割多重化システムにおいて従来のシンボル同期獲得方法は、送信側の基地局において同期チャネルの周波数領域で使用可能な周波数リソースに１つのベースシーケンス（ｂａｓｅ  ｓｅｑｕｅｎｃｙ）を割り当て、受信側の移動局で知られた前記同期チャネルの時間領域信号と時間領域受信信号の相関度を測定して相関値が最も大きいサンプル時間をシンボル同期時間と見なす。
【０００５】
しかし、前記従来におけるシンボル同期獲得技術は、周波数オフセットが大きい環境では同期獲得の性能が劣化する短所があった。
【０００６】
また、前記直交周波数分割多重化技術を基盤とするシステム以外の従来における無線通信システムの場合、任意のベースシーケンスを時間領域のシンボル同期獲得用のシンボル区間に割り当てるとき、そのシーケンスの大きさが一定でなければならない。しかし、一定の大きさにシーケンスを割り当てる方法も周波数オフセットが大きい環境では同期獲得の性能が劣化してしまうという短所がある。
【０００７】
したがって、周波数オフセットがほとんどない環境では従来技術のシンボル同期の推定性能を有しつつ、周波数オフセットが大きい環境では従来技術よりもシンボル同期の推定性能に優れた周波数オフセットを推定することのできる装置と方法が求められる実状である。
【発明の概要】
【発明が解決しようとする課題】
【０００８】
本発明の一実施形態は、ベースシーケンスに基づいて生成した変形シーケンスと前記ベースシーケンスを組み合わせたシンボル同期獲得用の同期パターンを生成して同期チャネルに割り当てることによって、周波数オフセットが比較的に大きい環境においても優れたシンボル同期の推定性能と送信装置の尖頭電力対平均電力の比（ＰＡＰＲ：Ｐｅａｋ  ｔｏ  Ａｖｅｒａｇｅ  Ｐｏｗｅｒ  Ｒａｔｉｏ）を増加させない無線通信システムのセル探索において周波数オフセットに強いシンボル同期獲得装置を提供することにある。
【０００９】
また、本発明の一実施形態は、ベースシーケンスに基づいて生成した変形シーケンスと前記ベースシーケンスを組み合わせたシンボル同期獲得用の同期パターンを生成し、同期チャネルに割り当てることによってＰＡＰＲは若干増加するものの、優れたシンボル同期の推定性能とシンボル同期の獲得用受信機の複雑度を減少させる無線通信システムのセル探索において周波数オフセットに強いシンボル同期獲得装置を提供することにある。
【課題を解決するための手段】
【００１０】
本発明の一実施形態に係る無線通信システムのセル探索において周波数オフセットに強いシンボル同期獲得装置は、シンボル同期獲得用ベースシーケンスを生成するシーケンス生成部と、前記ベースシーケンスに基づいて変形シーケンスを生成し、前記変形シーケンスと前記ベースシーケンスとを組み合わせて同期パターンを生成する同期パターン生成部と、前記同期パターンに基づいて送信情報を時間および周波数領域にマッピングして送信フレームを生成する周波数マッピング部と、前記送信フレームを送信する送信部とを含む。
【００１１】
本発明の一側面によれば、前記同期パターン生成部は、前記ベースシーケンスのエレメントを複素共役して前記変形シーケンスを生成してもよい。
【００１２】
また、保温発明の一側面によれば、前記同期パターン生成部は、前記ベースシーケンスのエレメントに「−１」を乗算して前記変形シーケンスを生成してもよい。
【００１３】
また、本発明の一実施形態に係る無線通信システムのセル探索において周波数オフセットに強いシンボル同期獲得受信方法は、シンボル同期獲得用ベースシーケンスを生成するステップと、前記ベースシーケンスに基づいて変形シーケンスを生成するステップと、前記変形シーケンスと前記ベースシーケンスとを組み合わせて同期パターンを生成するステップと、前記同期パターンに基づいて送信情報を時間および周波数領域にマッピングして送信フレームを生成するステップと、前記送信フレームを送信するステップとを含む。
【発明の効果】
【００１４】
本発明の一実施形態は、ベースシーケンスに基づいて生成した変形シーケンスと前記ベースシーケンスを組み合わせたシンボル同期獲得用の同期パターンを生成し、同期チャネルに割り当てることによって周波数オフセットが比較的に大きい環境であっても優れたシンボル同期の推定性能と送信装置の尖頭電力対比平均電力比を増加させないことができる。
【００１５】
また、本発明の一実施形態は、ベースシーケンスに基づいて生成した変形シーケンスと前記ベースシーケンスを組み合わせたシンボル同期獲得用の同期パターンを生成し、同期チャネルに割り当てることによってＰＡＰＲは若干増加するものの、優れたシンボル同期の推定性能とシンボル同期の獲得用受信機の複雑度を減少させることができる。
【図面の簡単な説明】
【００１６】
【図１】本発明の一実施形態に係る無線通信システムのセル探索において、周波数オフセットに強いシンボル同期獲得送信装置の概括的な状態を示す図である。
【図２】本発明の第１実施形態によって生成された同期パターンに対応し、送信フレームにシーケンスエレメントが割り当てられた状態を示す図である。
【図３】本発明の第２実施形態によって生成された同期パターンに対応し、送信フレームにシーケンスエレメントが割り当てられた状態を示す図である。
【図４】本発明の第３実施形態によって生成された同期パターンに対応し、送信フレームにシーケンスエレメントが割り当てられた状態を示す図である。
【図５】本発明の第４実施形態によって生成された同期パターンに対応し、送信フレームにシーケンスエレメントが割り当てられた状態を示す図である。
【図６】本発明の第５実施形態によって生成された同期パターンに対応し、送信フレームにシーケンスエレメントが割り当てられた状態を示す図である。
【図７】本発明の第６実施形態によって生成された同期パターンに対応し、送信フレームにシーケンスエレメントが割り当てられた状態を示す図である。
【図８】本発明の一実施形態に係る送信装置で生成される同期チャネルシンボル区間の時間領域信号の大きさパターンの一例を示す図である。
【図９】本発明の一実施形態に係る無線通信システムのセル探索において、周波数オフセットに強いシンボル同期獲得受信装置の概括的な状態を示す図である。
【図１０】本発明の一実施形態に係る無線通信システムのセル探索において、周波数オフセットに強いシンボル同期獲得送信方法を示すフローチャートである。
【図１１】本発明の一実施形態に係る無線通信システムのセル探索において、周波数オフセットに強いシンボル同期獲得受信方法を示すフローチャートである。
【発明を実施するための形態】
【００１７】
以下、添付の図面および添付の図面に記載された内容を参照して本発明の実施形態を詳細に説明するが、本発明が実施形態によって制限されたり限定されることはない。
【００１８】
図１は、本発明の一実施形態に係る無線通信システムのセル探索において、周波数オフセットに強いシンボル同期獲得送信装置の概括的な状態を示す図である。
【００１９】
図１に示すように、本発明の一実施形態に係る無線通信システムのセル探索において、周波数オフセットに強いシンボル同期獲得送信装置１００は、シーケンス生成部１０１がシンボル同期獲得用ベースシーケンスを生成すれば、同期パターン生成部１０２が前記ベースシーケンスに基づいて変形シーケンスを生成し、前記変形シーケンスと前記ベースシーケンスを組み合わせて同期パターンを生成し、周波数マッピング部１０３が前記同期パターンで送信しようとする送信情報を時間および周波数領域にマッピングして送信フレームを生成し、送信部１０４が前記送信フレームを送信する。
【００２０】
このとき、シーケンス生成部１０１が生成する時間同期獲得用ベースシーケンスは、任意の２進シーケンスまたは複素シーケンスにセルグループ識別／セル識別／フレーム同期識別用シーケンスを生成してもよい。
【００２１】
このとき、同期パターン生成部１０２は、セルグループ識別／セル識別／フレーム同期識別用シーケンスを用いて同期チャネルの同期パターンを生成してもよい。このとき、同期パターン生成部１０２は、セルラーシステムの共通パイロットシンボルおよびデータシンボルの符号化のために各セル別に割り当てられる固有のスクランブルシーケンスをパイロットチャネルに割り当てる下りリンク信号のパイロットパターンを生成してもよい。
【００２２】
また、同期パターン生成部１０２は、前記同期パターンに含まれる前記変形シーケンスと前記ベースシーケンスとの間の比率を様々に設定して前記同期パターンを生成してもよい。一例として、同期パターン生成部１０２は、前記同期パターンに含まれる前記変形シーケンスと前記ベースシーケンスとの間の比率を１：１にし、前記送信フレームに含まれたシンボル同期推定用の同期チャネルが用いる周波数リソースの半分をベースシーケンスが用いるようにしてもよく、周波数リソースの１／ｍにベースシーケンスを割り当てて残りのリソースに前記変形シーケンスを生成して割り当ててもよい。このとき、前記ｍは２以上の整数であってもよい。
【００２３】
また、同期パターン生成部１０２は、前記ベースシーケンスに様々な方法を適用して前記変形シーケンスを生成してもよい。
【００２４】
一例として、同期パターン生成部１０２は、前記ベースシーケンスのエレメントを複素共役（ｃｏｎｊｕｇａｔｉｎｇ）して前記変形シーケンスを生成してもよく、前記ベースシーケンスのエレメントに「−１」を乗算して前記変形シーケンスを生成してもよく、複素共役された前記ベースシーケンスのエレメントに「−１」を乗算して前記変形シーケンスを生成してもよい。
【００２５】
また、同期パターン生成部１０２が前記変形シーケンスを前記ベースシーケンスと組み合わせて前記同期パターンを生成する方法については、以下の図２〜図７によって詳細に説明する。このとき、図２〜図７では、ＤＣ副搬送波にシーケンスエレメントを割り当てたが、これは一例であって、シーケンスエレメントをＤＣ副搬送波ではない他に割り当ててもよい。
【００２６】
このとき、周波数マッピング部１０３は、同期パターン生成部１０２で生成された同期パターンおよびパイロットパターンと外部から送信されたフレーム制御情報および送信トラフィックデータを用いて、前記送信情報を時間および周波数領域にマッピングして下りリンクフレーム形態の送信フレームを生成してもよい。
【００２７】
このとき、周波数マッピング部１０３は、同期パターン生成部１０２で生成された同期パターンを同期チャネルに割り当ててもよい。
【００２８】
また、周波数マッピング部１０３は、前記送信情報を時間および周波数領域にマッピングした同期チャネルシンボル区間の時間領域信号の大きさパターンがフラット状にならないよう設定してもよい。
【００２９】
このとき、前記同期チャネルシンボル区間の時間領域信号の大きさパターンについては図８を参照して詳細に説明する。
【００３０】
送信部１０４は、周波数マッピング部１０３から前記送信フレームが伝達されて送信アンテナを介して送信してもよい。このとき、送信部１０４はＯＦＤＭ送信機であってもよい。
【００３１】
図２は、本発明の第１実施形態により生成された同期パターンに対応し、送信フレームにシーケンスエレメントが割り当てられた状態を示す図である。
【００３２】
前記本発明の第１実施形態によって生成された同期パターンでは、図２に示すように同期チャネル送信用の上位副搬送波に素数（ｐｒｉｍｅ  ｎｕｍｂｅｒ）がＮＰであるＺＣ（Ｚａｄｏｆｆ−Ｃｈｕ）シーケンスｂＶ（ｋ）をベースシーケンスｂＶ（ｋ）２０１に割り当ててもよい。このとき、前記ベースシーケンスｂＶ（ｋ）は下記の数１によって算出してもよい。
【数１】
0005384620.tif 000002
【００３３】
このとき、Ｖはシーケンスインデックスを意味し、前記ＮＰはシンボル同期獲得用シーケンスの長さであり、前記Ｎは前記同期チャネルが用いる総周波数リソースであってもよい。
【００３４】
また、前記本発明の第１実施形態によって生成された同期パターンでは、図２に示すように同期チャネル送信用の下位副搬送波に下記の数２のように前記ベースシーケンスｂＶ（ｋ）２０１に共役（「＊」）して生成されたｂＶ＊（ｋ）を変形シーケンスｃＶ（ｋ）２０２に割り当ててもよい。
【数２】
0005384620.tif 000003
【００３５】
このとき、ＮＧは複素シーケンスの素数を意味し、ＮとＮＧは同一であってもよく、同一でなくてもよい。
【００３６】
図３は、本発明の第２実施形態によって生成された同期パターンに対応し、送信フレームにシーケンスエレメントが割り当てられた状態を示す図である。
【００３７】
前記本発明の第２実施形態によって生成された同期パターンでは、図３に示すように、前記同期チャネル送信用の上位副搬送波に前記数１によって算出されたベースシーケンスｂＶ（ｋ）３０１を割り当て、前記同期チャネル送信用の下位副搬送波に下記の数３のように前記ベースシーケンスｂＶ（ｋ）３０１に「−１」を乗算して生成された−ｂＶ（ｋ）を変形シーケンスｃＶ（ｋ）３０２に割り当ててもよい。
【数３】
0005384620.tif 000004
【００３８】
図４は、本発明の第３実施形態によって生成された同期パターンに対応し、送信フレームにシーケンスエレメントが割り当てられた状態を示す図である。
【００３９】
前記本発明の第３実施形態によって生成された同期パターンでは、図４に示すように前記同期チャネル送信用の上位副搬送波に前記数１によって算出されたベースシーケンスｂＶ（ｋ）４０１を割り当て、前記同期チャネル送信用の下位副搬送波に下記の数４のように前記ベースシーケンスｂＶ（ｋ）４０１を共役した後に「−１」を乗算して生成された−ｂＶ（ｋ）を変形シーケンスｃＶ（ｋ）４０２に割り当ててもよい。
【数４】
0005384620.tif 000005
【００４０】
図５は、本発明の第４実施形態によって生成された同期パターンに対応し、送信フレームにシーケンスエレメントが割り当てられた状態を示す図である。
【００４１】
前記本発明の第４実施形態によって生成された同期パターンでは、図５に示すように前記同期チャネル送信用の偶数番目の副搬送波に素数がＮＰであるＺＣ（Ｚａｄｏｆｆ−Ｃｈｕ）シーケンスｂＶ（ｋ）をベースシーケンスｂＶ（ｋ）５０１に割り当ててもよい。このとき、前記ベースシーケンスｂＶ（ｋ）は下記の数５によって算出してもよい。
【数５】
0005384620.tif 000006
【００４２】
また、前記本発明の第４実施形態によって生成された同期パターンでは、図５に示すように同期チャネル送信用の奇数番目の副搬送波に下記の数６のように前記ベースシーケンスｂＶ（ｋ）５０１に共役（「＊」）して生成したｂＶ＊（ｋ）を変形シーケンスｃＶ（ｋ）５０２に割り当ててもよい。
【数６】
0005384620.tif 000007
【００４３】
図６は、本発明の第５実施形態によって生成された同期パターンに対応し、送信フレームにシーケンスエレメントが割り当てられた状態を示す図である。
【００４４】
前記本発明の第５実施形態によって生成された同期パターンでは、図６に示すように前記同期チャネル送信用の偶数番目の副搬送波に前記数５によって算出されたベースシーケンスｂＶ（ｋ）６０１を割り当て、前記同期チャネル送信用の奇数番目の副搬送波に下記の数７のように前記ベースシーケンスｂＶ（ｋ）６０１に「−１」を乗算して生成された−ｂＶ（ｋ）を変形シーケンスｃＶ（ｋ）６０２に割り当ててもよい。
【数７】
0005384620.tif 000008
【００４５】
図７は、本発明の第６実施形態によって生成された同期パターンに対応し、送信フレームにシーケンスエレメントが割り当てられた状態を示す図である。
【００４６】
前記本発明の第６実施形態によって生成された同期パターンでは、図７に示すように前記同期チャネル送信用の偶数番目の副搬送波に前記数５によって算出されたベースシーケンスｂＶ（ｋ）７０１を割り当て、前記同期チャネル送信用の奇数番目の副搬送波に下記の数８のように前記ベースシーケンスｂＶ（ｋ）７０１に共役（「＊」）して生成されたｂＶ＊（ｋ）を変形シーケンスｃＶ（ｋ）７０２に割り当ててもよい。
【数８】
0005384620.tif 000009
【００４７】
図８は、本発明の一実施形態に係る送信装置で生成される同期チャネルシンボル区間の時間領域信号の大きさパターンの一例を示す図である。
【００４８】
図８に示すように、従来におけるシンボル同期推定方法と前記第２実施形態および第５実施形態に対する時間領域信号（＝ｄ（ｎ））の電力波形（＝｜ｄ（ｎ）｜２）８０１、８０２、８０３が図示される。
【００４９】
このとき、ｎは１つのサンプル時間インデックスを意味する。
【００５０】
図８に示すように、従来におけるシンボル同期推定方法の波形８０１は、同期チャネルシンボル区間の間にその包絡線の形状がフラットしており、第２実施形態の波形８０２は凹状であり、第５実施形態の波形８０３は凸状のパターンであってもよい。
【００５１】
このとき、周波数マッピング部１０３は、前記電力波形が従来におけるシンボル同期推定方法の波形８０１のようにフラット状にならないようにマッチング位置を調整する設定を用いてもよい。
【００５２】
このとき、周波数マッピング部１０３は、前記電力波形が凹状もしくは凸状、またはその他に左右非対称のパターンを形成するよう設定してもよい。
【００５３】
図９は、本発明の一実施形態に係る無線通信システムのセル探索において、周波数オフセットに強いシンボル同期獲得受信装置の概括的な状態を示す図である。
【００５４】
図９に示すように、本発明の一実施形態に係る無線通信システムのセル探索において周波数オフセットに強いシンボル同期獲得受信装置９００は、受信部９０１が送信フレームを受信すればフィルタリング部９０２が前記送信フレームを同期チャネルに割り当てられた帯域幅だけフィルタリングし、時間領域相関部９０３が予め格納された同期チャネルシンボル区間の時間領域信号と前記送信フレームに含まれたサンプル時間信号に対する相関を行ってサンプル時間それぞれの相関値を算出すれば、シンボル同期検出部９０４が算出された前記相関値が最も大きいサンプル時間をシンボル同期に検出する。
【００５５】
このとき、受信部９０１が受信した送信フレームはフェーディングがなく、付加ノイズだけがあると仮定する場合に下記の数９のように表してもよい。
【数９】
0005384620.tif 000010
【００５６】
このとき、ｄ（ｎ）は時間領域信号であり、ｒ（ｎ）は受信した送信フレームであり、ｗ（ｎ）は付加ノイズであり、Δｆは周波数オフセットであってもよい。
【００５７】
このとき、時間領域相関部９０３は、完全シンボル同期のサンプル時間を仮定した下記の数１０によってサンプル時間それぞれの相関値を算出してもよい。
【数１０】
0005384620.tif 000011
【００５８】
図１０は、本発明の一実施形態に係る無線通信システムのセル探索において、周波数オフセットに強いシンボル同期獲得送信方法を示すフローチャートである。
【００５９】
ステップＳ１００１において、シーケンス生成部１０１は、シンボル同期獲得用ベースシーケンスを生成する。
【００６０】
ステップＳ１００２において、パターン生成部１０２は、ステップＳ１００１で生成された前記ベースシーケンスに基づいて変形シーケンスを生成する。
【００６１】
ステップＳ１００３において、パターン生成部１０２は、ステップＳ１００１で生成された前記ベースシーケンスとステップＳ１００２で生成された前記変形シーケンスを組み合わせて同期パターンを生成する。
【００６２】
ステップＳ１００４において、周波数マッピング部１０３は、ステップＳ１００３で生成された前記同期パターンに基づいて送信情報を時間および周波数領域にマッピングして送信フレームを生成する。
【００６３】
このとき、周波数マッピング部１０３は、前記送信フレームに含まれた同期チャネルシンボル区間の時間領域信号の大きさパターンがフラット状にならないように設定して前記送信フレームを生成してもよい。
【００６４】
ステップＳ１００５において、送信部１０４は、ステップＳ１００４で生成された前記送信フレームを送信する。
【００６５】
図１１は、本発明の一実施形態に係る無線通信システムのセル探索において、周波数オフセットに強いシンボル同期獲得受信方法を示すフローチャートである。
【００６６】
ステップＳ１１０１において、受信部９０１は送信部１０４から送信した送信フレームを受信する。
【００６７】
ステップＳ１１０２において、フィルタリング部９０２は、ステップＳ１１０１で受信した前記送信フレームを同期チャネルに割り当てられた帯域幅だけフィルタリングする。
【００６８】
ステップＳ１１０３において、時間領域相関部９０３は、予め格納された同期チャネルシンボル区間の時間領域信号と、ステップＳ１００２でフィルタリングされた前記送信フレームに対する相関を行って、前記送信フレームに含まれたサンプル時間それぞれの相関値を算出する。
【００６９】
ステップＳ１１０４において、シンボル同期検出部１０４は、ステップＳ１１０３で算出された前記相関値が最も大きいサンプル時間をシンボル同期に検出する。
【００７０】
本発明に係る無線通信システムのセル探索において周波数オフセットに強いシンボル同期獲得装置は、ベースシーケンスに基づいて生成した変形シーケンスと前記ベースシーケンスを組み合わせたシンボル同期獲得用の同期パターンを生成して同期チャネルに割り当てることによって、周波数オフセットが比較的に大きい環境であっても優れたシンボル同期の推定性能と送信装置の尖頭電力対比平均電力の比を増加させないか、あるいは、ＰＡＰＲは若干増加するものの、優れたシンボル同期の推定性能とシンボル同期の獲得用受信機の複雑度を減少させることができる。
【００７１】
上述したように本発明は、たとえ限定された実施形態と図面によって説明したが、本発明は、上記の実施形態に限定されることなく、本発明が属する分野における通常の知識を有する者であれば、このような基材から多様な修正および変形が可能である。
【００７２】
したがって、本発明の範囲は説明された実施形態に限定されて決められてはならず、後述する特許請求の範囲だけでなく、この特許請求の範囲と均等なものなどによって定められなければならない。
【図１】
0005384620.tif 000012
【図２】
0005384620.tif 000013
【図３】
0005384620.tif 000014
【図４】
0005384620.tif 000015
【図５】
0005384620.tif 000016
【図６】
0005384620.tif 000017
【図７】
0005384620.tif 000018
【図８】
0005384620.tif 000019
【図９】
0005384620.tif 000020
【図１０】
0005384620.tif 000021
【図１１】
0005384620.tif 000022